(57)【要約】【課題】流れの圧力損失が小さくして、吸込効率を向上させるとともに、騒音あるいは振動の発生を極力低減できダクトエアコンを提供する。【解決手段】断面がインボリュート曲線で形成され両側面に円形状の流入口を開口し後方に流出口を備えたファンケーシング１５ａの前面に、先端が先細状となるように略三角錐状の流線形に形成された前面カバー１３ａを装着することにより，熱交換器を通過した空気の流れは流線形状の前記前面カバー１３ａにより、その側面に沿って左右に分流され、分流された流れは乱流を生じることなく前記ファンケーシング１５ａの両側面に開口された流入口から遠心ファン１４ａに流入する。【選択図】  図５
2004204810.tif 000002
【特許請求の範囲】
【請求項１】
本体の前面に吸込口を、背面に吹出口を設け、前記本体内に前記吸込口に対峙して熱交換器を設けるとともに、前記吹出口に対峙して、同吹出口に接続される流出口を備えたファンケーシングと、同ファンケーシング内に収納される遠心ファンと、同遠心ファンを駆動するファンモータとからなる送風機を設け、前記吸込口から吸込まれ前記熱交換器により熱交換された空気を、前記送風機により前記吹出口から吹出してなるダクトエアコンにおいて、
前記ファンケーシングの反流出口側に、先端が先細状となるように流線形状に形成され後面側が開放されたカバーを装着してなることを特徴とするダクトエアコン。
【請求項２】
前記カバーが、左右一対の稜線が前記ファンケーシングの上面に水平に連なり、空気抵抗を極力低減する三角錐状に形成されてなることを特徴とする請求項１に記載のダクトエアコン。
【請求項３】
前記吹出口が左右一対に設けられるとともに、前記送風機が夫々の前記吹出口に対応して左右一対に設けられ、前記吹出口からの吹出量を増加させてなることを特徴とする請求項１に記載のダクトエアコン。
【請求項４】
前記本体底面の後方側両隅部に、空気の流れを整流する三角錐状の整流ブロックを配設してなることを特徴とする請求項１にダクトエアコン。
【発明の詳細な説明】
【０００１】
【発明の属する技術分野】
本発明は、ダクトエアコンに関わり、より詳細には、流路内に設けられた送風ファンの空気抵抗を低減する構成に関する。
【０００２】
【従来の技術】
従来のダクトエアコンは、例えば図７の分解斜視図で示すように、ベース板１と、右側板３及び左側板４と、天板２と、前面に取付けられる前面パネル６と、後部パネル３０とで本体を構成している。前記前面パネル６には吸込口７が形成され、前記後部パネル３０には左右一対に吹出口が形成されており、同後部パネル３０の内壁側には前記吹出口に臨んで左右一対に遠心ファン３１ａ及び遠心ファン３１ｂが取付けられている。また前記吸込口７と前記吹出口を結ぶ空気通路には、図示しない室外機と配管により接続された熱交換器９が設けられている。（特許文献１参照）
【０００３】
前記遠心ファン３１ａ及び３１ｂは、両側面に流入口を開口し、後部の流出口を前記吹出口に臨ませた円筒状のファンケーシング３２ａ及び３２ｂと、同ファンケーシング３２ａ及び３２ｂ内に回動自在に収納され、ファンモータ３４により駆動される円筒状のファン３３ａ及び３３ｂとからなり、両側面の前記流入口から吸込まれた空気は外周上に多数のブレードを配設した前記ファン３３ａ及び３３ｂが回転するのに伴い、前記流出口から吹出されるようになっている。前記吸込口７から吸込まれた室内の空気は、前記熱交換器９により熱交換され、前記遠心ファン３１ａ及び３１２ｂにより吹出口から送出されるようになっている。
【０００４】
しかしながら、前記ファンケーシング３２ａ及び３２ｂが円筒形状に形成されまた前記熱交換器９に対峙するように設けられていることにより、同熱交換器９で熱交換された空気は、前記ファンケーシング３２ａ及び３２ｂの前面に一次的にその流れが衝突し左右に分流した後、前記流入口から内部に吸込まれるようになっている。このため流れの圧力損失又は流路損失が発生し吸込効率が低下するとともに、騒音あるいは振動を発生させる原因となっていた。
【０００５】
【特許文献１】
特開平８−１７８３３３号
【０００６】
【発明が解決しようとする課題】
本発明は上記問題点に鑑み、遠心ファンのファンケーシングによる流路抵抗を低減させ吸込効率を向上させるとともに、騒音あるいは振動の発生を極力抑制したダクトエアコンを提供することを目的とする。
【０００７】
【課題を解決するための手段】
本発明は上記課題を解決するため、本体の前面に吸込口を、背面に吹出口を設け、前記本体内に前記吸込口に対峙して熱交換器を設けるとともに、前記吹出口に対峙して、同吹出口に接続される流出口を備えたファンケーシングと、同ファンケーシング内に収納される遠心ファンと、同遠心ファンを駆動するファンモータとからなる送風機を設け、前記吸込口から吸込まれ前記熱交換器により熱交換された空気を、前記送風機により前記吹出口から吹出してなるダクトエアコンにおいて、
前記ファンケーシングの反流出口側に、先端が先細状となるように流線形状に形成され後面側が開放されたカバーを装着してなる構成となっている。
【０００８】
また、前記カバーが、左右一対の稜線が前記ファンケーシングの上面に水平に連なり、空気抵抗を極力低減する三角錐状に形成されてなる構成となっている。
【０００９】
また、前記吹出口が左右一対に設けられるとともに、前記送風機が夫々の前記吹出口に対応して左右一対に設けられ、前記吹出口からの吹出量を増加させてなる構成となっている。
【００１０】
【発明の実施の形態】
以下、本発明の実施の形態を、添付図面に基づいた実施例として詳細に説明する。
図１は本発明によるダクトエアコンの正面図及び背面図であり、図２は背面側からの斜視図である。図３はその内部構造を示す側断面図であり、図４は分解斜視図である。
本発明によるダクトエアコンは、図１（Ａ）の正面図で示すように、前面パネル６に矩形状の吸込口７を形成し、図１（Ｂ）で示すように背面側の後部パネル１１の上部に吹出量を増大させるように左右一対に吹出口８ａ及び吹出口８ｂを開口しており、前記吸込口７から吸込まれた室内の空気は熱交換され、図２の矢印で示すように、前記吹出口８ａ及び吹出口８ｂから送出されるようになっている。図２は同ダクトエアコンの背面側からの斜視図であり、方形状に形成された本体の上部四側にネジ挿通孔を備えた複数の取付金具１８を設けており、同取付金具１８に天井面に埋め込まれた植込ボルトを掛止させて本体は天井面あるいは天井面内に据付けられるようになっている。本体の側面には室外に設置された室外機と配管により接続される配管接続口１９ａ及び１９ｂが、その下方にはドレン配管２０が夫々設けられ、また制御基板等を収納したコントロールボックス１７が設けられている。
【００１１】
前記本体は、図３の側断面図及び図４の分解斜視図で示すように、底板１と右側板３及び左側板４と、枠体状に形成されダクトと接続されるダクト接続具６ａを螺着した前記前面パネル６と、ダクト接続具１１ａを螺着した前記後部パネル１１と天板２とからなり、これらは螺子止めにより夫々接合されるようになっている。前記右側板３には制御基板１７ａを収納したコントロールボックス１７が取付けられ、前記前面パネル６の内壁側には右側支持具９ａ及び左側支持具９ｂにより熱交換器９が取付けられるようになっている。同熱交換器９の下方にはこれから滴下する凝縮水を受ける露受皿５ａが支持台５ｂにより支持されており、また、前記後部パネル１１の内壁側には左右一対の遠心ファンを備えた送風機１０が設けられ、更に前記ベース板１の後方側両隅部には空気の流れを整流する整流ブロック２１が設けられている。
【００１２】
前記送風機１０は、図４で示すように、左右一対に配設された右側ファン１２ａと左側ファン１２ｂとからなり、前記右側ファン１２ａは、両側面に円形状の吸込口を開口し後方に流出口を形成したファンケーシング１５ａと、同ファンケーシング１５ａ内に回動自在に収納され円周上に多数のブレードを配設した円筒状の遠心ファン１４ａと、前記ファンケーシング１５ａの前面に装着される後述するカバーとで構成され、前記左側ファン１２ｂは、両側面に円形状の吸込口を開口し後方に流出口を形成したファンケーシング１５ｂと、同ファンケーシング１５ｂ内に回動自在に収納され円周上に多数のブレードを配設した円筒状の遠心ファン１４ｂとで構成されており、前記遠心ファン１４ａと前記遠心ファン１４ｂとはこれらの間に配設されたファンモータ１６の両側軸に接続されている。
【００１３】
図５で示す前記ファン１２ａは上記したように、断面がインボリュート曲線により形成され両側面に円形状の吸込口を開口するとともに、後方に矩形状の流出口１５ｃを形成したファンケーシング１５ａと、同ファンケーシング１５ａ内に回動自在に収納され円周上に多数のブレードを配設した円筒状の遠心ファン１４ａと、先端が先細状となるように略三角錐状の流線形に形成され後方側に多数のネジ孔あるいはリベット孔を穿設したフランジ１３ｂを備えたカバー１３ａとで構成され、同カバー１３ａはネジ４０あるいはリベットにより、前記ファンケーシング１５ａの前面を覆うように容易に装着されるようになっている。前記ファン１２ｂも同様に構成されている。また、前記カバー１３ａは左右一対の稜線が前記ファンケーシング１５ａの上面と水平となるように設けられている。
【００１４】
次に、動作について説明する。前面パネル６に形成された前記吸込口７から吸込まれた室内の空気は、前記熱交換器９を通過することにより熱交換され冷風あるいは暖風となって前記送風機１０に向かい流出する。前記ファン１２ａに向かう空気の流れは、前記ファンケーシング１５ａの前面に装着された三角錐の流線形状に形成された前記カバー１３ａにより、その側面に沿って左右に分流され、分流された流れは乱れを生じることなく前記ファンケーシング１５ａの両側面に開口された流入口から前記遠心ファン１４ａに流入するようになっている。流入した空気の流れは後方に設けられている前記流出口１５ｃから，同流出口１５ｃに連設された前記吹出口８ｂに向かい外部に吹出されるようになっている。また、前記熱交換器９から送り出された他の空気の流れは、前記ベース１の後方側両隅部に配設された図６で示す三角錐状の整流ブロック２１により、乱流あるいは渦流を生じることなく前記ファンケーシング１５ａの両側面に開口された流入口に吸込まれるようになっている。
【００１５】
上記したように前記熱交換器９を経て前記ファン１２ａ及び前記ファン１２ｂに流れる空気の流れが前記カバー１３ａ及び前記ファン１２ｂに設けられるカバー１３ｂにより、左右に拡開するように分流されて前記遠心ファン１４ａ及び前記遠心ファン１４ｂに流れ込むことにより、流れの圧力損失が小さく、またこれにより騒音あるいは振動の発生を極力低減できるようになっている。
【００１６】
【発明の効果】
以上説明したように、本発明によると、ファンを収納したファンケーシングの前面に、先端が先細状となるように略三角錐状の流線形に形成されたカバーを装着することにより、流れの圧力損失が小さく、また騒音あるいは振動の発生を極力低減できるダクトエアコンとすることができるようになっている。
【図面の簡単な説明】
【図１】（Ａ）は本発明によるダクトエアコンの正面図である。（Ｂ）は本発明によるダクトエアコンの背面図である。
【図２】本発明によるダクトエアコンの背面側からの斜視図である。
【図３】本発明によるダクトエアコンの側断面図である。
【図４】本発明によるダクトエアコンの分解斜視図である。
【図５】送風機を示す要部斜視図である。
【図６】整流ブロックを示す斜視図である。
【図７】従来例によるダクトエアコンを示す分解斜視図である。
【符号の説明】
１  ベース
２  天板
３  右側板
４  左側板
５ａ  ガイド板
６  前面パネル
６ａ  ダクト接続具
７  吸込口
８ａ  吹出口
８ｂ  吹出口
９  熱交換器
９ａ  右側支持具
９ｂ  左側支持具
１０  送風機
１１  後部パネル
１１ａ  ダクト接続具
１２ａ  右側ファン
１２ｂ  左側ファン
１３ａ  カバー
１３ｂ  カバー
１４ａ  遠心ファン
１４ｂ  遠心ファン
１５ａ  ファンケーシング
１５ｂ  ファンケーシング
１５ｃ  流出口
１６  ファンモータ
１７  コントロールボックス
１８  取付金具
１９ａ，１９ｂ  配管接続口
２０  ドレン配管
【図１】
2004204810.tif 000003
【図２】
2004204810.tif 000004
【図３】
2004204810.tif 000005
【図４】
2004204810.tif 000006
【図５】
2004204810.tif 000007
【図６】
2004204810.tif 000008
【図７】
2004204810.tif 000009